(57)【要約】    【課題】  紙媒体上の画像の改ざんを鑑定するに際し、演算負荷を軽減して演算時間を抑制することができる画像処理システムを提供する。    【解決手段】  定型的なフォームに基づいた原本紙媒体上の画像をスキャナ２２７０によって読み取り、該読み取り画像内の可変領域６０２の特徴量を抽出してＩＤ管理部２３８０に格納する。さらに、前記定型的なフォームに基づいた鑑定対象紙媒体上の画像をスキャナ２２７０によって読み取り、該読み取り画像内の可変領域６０２の特徴量を抽出する。鑑定部２３９０は、この特徴量とＩＤ管理部２３８０に格納された前記特徴量とを照合して、鑑定対象紙媒体上の画像に改ざんがないかを鑑定する。前記可変領域６０２は、前記定型的なフォーム内において指定する。【選択図】      図１７
2006048523.tif 000002
【特許請求の範囲】
【請求項１】
シート媒体上の画像を読み取る画像読取手段と、
定型的なフォームに基づいたシート媒体上の画像を前記画像読み取り手段によって読み取り、該読み取り画像内の特定領域の特徴量を抽出する特徴量抽出手段と、
原本画像の特徴量として前記特徴量抽出手段によって抽出された前記特定領域の特徴量を格納する特徴量格納手段と、
鑑定対象画像の特徴量として前記特徴量抽出手段によって抽出された前記特定領域の特徴量と前記特徴量格納手段に格納されている特徴量とを照合する照合手段と、
前記照合手段の照合結果を通知する通知手段とを備えたことを特徴とする画像処理システム。
【請求項２】
前記定型的なフォームに関する情報と当該定型的なフォームにおける前記特定領域に関する情報とを対応付けて格納するフォーム格納手段を更に有し、
前記特徴量抽出手段では、前記フォーム情報格納手段に格納されている情報に基づいて前記読み取り画像に対応する定型的なフォームを識別し、当該識別された定型的なフォームに対応する特定領域に関する情報に基づいて前記読み取り画像内の特定領域の特徴量を抽出することを特徴とする請求項１に記載の画像処理しシステム。
【請求項３】
前記特定領域を前記定型的なフォーム内において指定する指定手段を有することを特徴とする請求項１又は２のいずれかに記載の画像処理システム。
【請求項４】
前記定型的なフォームに関する情報を少なくとも１つ以上格納するフォーム格納手段を有し、
前記鑑定対象画像のフォームと前記フォーム格納手段に格納された定型的なフォームとの一致、不一致を比較し、一致している場合のみ前記照合手段による照合を行うことを特徴とする請求項１に記載の画像処理システム。
【請求項５】
前記定型的なフォーム、前記原本画像及び前記鑑定対象画像は、１ページまたは複数ページで構成されることを特徴とする請求項１に記載の画像処理システム。
【請求項６】
シート媒体上の画像を読み取る画像読取手段を有する画像処理システムの画像改ざん鑑定方法において、
定型的なフォームに基づいた原本シート媒体上の画像を前記画像読み取り手段によって読み取り、該読み取り画像内の特定領域の特徴量を抽出する原本特徴量抽出工程と、
前記原本特徴量抽出工程によって抽出された特徴量を特徴量格納手段に格納する工程と、
前記定型的なフォームに基づいた鑑定対象シート媒体上の画像を前記画像読み取り手段によって読み取り、該読み取り画像内の特定領域の特徴量を抽出する鑑定対象特徴量抽出工程と、
前記鑑定対象特徴量抽出工程によって抽出された特徴量と前記特徴量格納手段に格納された特徴量とを照合する照合工程と、
前記照合工程の照合結果を通知する通知工程とを順次実行することを特徴とする画像処理システムの画像改ざん鑑定方法。
【請求項７】
シート媒体上の画像を読み取る画像読取手段を有する画像処理システムの画像改ざん鑑定方法を実行するための、コンピュータで読み取り可能な制御プログラムであって、
定型的なフォームに基づいた原本シート媒体上の画像を前記画像読み取り手段によって読み取り、該読み取り画像内の特定領域の特徴量を抽出する原本特徴量抽出ステップと、
前記原本特徴量抽出ステップによって抽出された特徴量を特徴量格納手段に格納するステップと、
前記定型的なフォームに基づいた鑑定対象シート媒体上の画像を前記画像読み取り手段によって読み取り、該読み取り画像内の特定領域の特徴量を抽出する鑑定対象特徴量抽出ステップと、
前記鑑定対象特徴量抽出ステップによって抽出された特徴量と前記特徴量格納手段に格納された特徴量とを照合する照合ステップと、
前記照合ステップの照合結果を通知する通知ステップとを備えたことを特徴とする制御プログラム。
【請求項８】
請求項７に記載の制御プログラムを格納したことを特徴とするコンピュータ読み取り可能な記憶媒体。
【発明の詳細な説明】
【技術分野】
【０００１】
本発明は、シート媒体上の画像を読み取る画像読取手段を有する画像処理システム、及び前記画像処理システムを利用して画像の改ざん鑑定を行う画像処理システムの画像改ざん鑑定方法、並びに前記画像改ざん鑑定方法を実行するための制御プログラムに関する。
【背景技術】
【０００２】
従来より、印刷された紙媒体に対して、その原本性を保証する技術が提案されている（例えば、特許文献１を参照）。
【０００３】
特許文献１の原本性保証システムでは、原本データに対して、該原本データの認証情報などの電子透かし情報を重畳し、透かし情報の入った印字データを生成して紙媒体に印刷する。この印刷時に生ずるかすれなどの劣化により、透かし情報による原本／コピーの判定（原本性保証）が困難になる点を解決するために、透かしの検証により透かし残存量を算出し、この透かし残存量と、世代管理情報から抽出された透かし残像量とを比較し、原本の印刷時に生じた劣化と以後のコピーにより生じた劣化を判別し、原本／コピーの判定を行っている。
【０００４】
また、電子透かし情報を用いずに、印刷された紙媒体の改ざん鑑定を行う原本性保証システムでは、紙媒体上に可変情報と固定情報が混在していても、これらを区別無く一括で保管し、鑑定対象紙媒体の面全体の画像情報と原本紙媒体の面全体の画像情報とを照合することにより、鑑定対象紙媒体の改ざんの有無（原本であるか否か）を判定するのが、一般的であった。
【特許文献１】特開２００２−３４４７３６号公報
【発明の開示】
【発明が解決しようとする課題】
【０００５】
しかしながら、上記特許文献１の原本性保証システムでは、電子透かし情報だけでなく、世代管理情報を生成し、さらに透かし残存量を算出して照合する必要があり、構成が複雑化するという問題があった。
【０００６】
また、上記の、電子透かし情報を用いない原本性保証システムでは、紙媒体上の画像の改ざんを鑑定するためには紙媒体の面全体の画像情報を必要とし、原本との照合の際には面全体に対する演算が必要であった。
【０００７】
本発明は上記従来の問題点に鑑み、紙媒体上の画像の改ざんを鑑定するに際し、演算負荷を軽減して演算時間を抑制することができ、また構成も簡素にすることができる画像処理システム及びその画像改ざん鑑定方法、並びに制御プログラムを提供することを目的とする。
【課題を解決するための手段】
【０００８】
上記目的を達成するために、本発明の画像処理システムは、シート媒体上の画像を読み取る画像読取手段と、定型的なフォームに基づいたシート媒体上の画像を前記画像読み取り手段によって読み取り、該読み取り画像内の特定領域の特徴量を抽出する特徴量抽出手段と、原本画像の特徴量として前記特徴量抽出手段によって抽出された前記特定領域の特徴量を格納する特徴量格納手段と、鑑定対象画像の特徴量として前記特徴量抽出手段によって抽出された前記特定領域の特徴量と前記特徴量格納手段に格納されている特徴量とを照合する照合手段と、前記照合手段の照合結果を通知する通知手段とを備えたことを特徴とする。
【０００９】
本発明の画像処理システムの画像改ざん鑑定方法は、シート媒体上の画像を読み取る画像読取手段を有する画像処理システムの画像改ざん鑑定方法において、定型的なフォームに基づいた原本シート媒体上の画像を前記画像読み取り手段によって読み取り、該読み取り画像内の特定領域の特徴量を抽出する原本特徴量抽出工程と、前記原本特徴量抽出工程によって抽出された特徴量を特徴量格納手段に格納する工程と、前記定型的なフォームに基づいた鑑定対象シート媒体上の画像を前記画像読み取り手段によって読み取り、該読み取り画像内の特定領域の特徴量を抽出する鑑定対象特徴量抽出工程と、前記鑑定対象特徴量抽出工程によって抽出された特徴量と前記特徴量格納手段に格納された特徴量とを照合する照合工程と、前記照合工程の照合結果を通知する通知工程とを順次実行することを特徴とする。
【００１０】
本発明の制御プログラムは、シート媒体上の画像を読み取る画像読取手段を有する画像処理システムの画像改ざん鑑定方法を実行するための、コンピュータで読み取り可能な制御プログラムであって、定型的なフォームに基づいた原本シート媒体上の画像を前記画像読み取り手段によって読み取り、該読み取り画像内の特定領域の特徴量を抽出する原本特徴量抽出ステップと、前記原本特徴量抽出ステップによって抽出された特徴量を特徴量格納手段に格納するステップと、前記定型的なフォームに基づいた鑑定対象シート媒体上の画像を前記画像読み取り手段によって読み取り、該読み取り画像内の特定領域の特徴量を抽出する鑑定対象特徴量抽出ステップと、前記鑑定対象特徴量抽出ステップによって抽出された特徴量と前記特徴量格納手段に格納された特徴量とを照合する照合ステップと、前記照合ステップの照合結果を通知する通知ステップとを備えたことを特徴とする。
【発明の効果】
【００１１】
本発明によれば、シート媒体上の画像の改ざんを鑑定するに際し、演算負荷を軽減して演算時間を抑制することが可能になり、また構成も簡素にすることができる。
【発明を実施するための最良の形態】
【００１２】
本発明の画像処理システム及びその画像改ざん鑑定方法、並びに制御プログラムの実施の形態について、図面を参照しながら説明する。
【００１３】
［第１の実施の形態］
〔第１の実施の形態の構成〕
＜画像処理システムの構成＞
図１は、本発明の第１の実施の形態に係る画像処理システムの構成を示すブロック図である。
【００１４】
この画像処理システムは、ローカルエリアネットワーク（ＬＡＮ）２０１１上に接続された、機能複合型周辺機器（以降、ＭＦＰ：Ｍｕｌｔｉ  Ｆｕｎｃｔｉｏｎ  Ｐｅｒｉｐｈｅｒａｌ）２２０と鑑定処理部２３７０とで構成されている。
【００１５】
ＭＦＰ２２０は、画像入力デバイスであるスキャナ２２７０と、画像出力デバイスであるプリンタ２２９５と、コントローラユニット（Ｃｏｎｔｒｏｌｌｅｒ  Ｕｎｉｔ）２２００と、ユーザインターフェイスである操作部２２１２とを有する。スキャナ２２７０、プリンタ２２９５、及び操作部２２１２はそれぞれ、コントローラユニット２２００に接続され、コントローラユニット２２００からの命令により制御されている。また、コントローラユニット２２００は、ＬＡＮ２０１１などのネットワーク伝送手段に接続されている。
【００１６】
鑑定処理部２３７０は、ＩＤ管理部２３８０と鑑定部２３９０とから成り、コントローラユニット２２００によって制御されている。ＩＤ管理部２３８０は、後述する紙媒体原本における特定領域の特徴量をファイルＩＤ毎に登録して管理する。鑑定部２３９０は、鑑定対象である紙媒体の特徴量とＩＤ管理部２３８０に既に登録済みの特徴量との一致、不一致を比較し、鑑定対象である紙媒体の改ざんの有無を鑑定する。
【００１７】
なお、ＬＡＮ２０１１には、ＭＦＰ２２０のほかにも、他のＭＦＰが接続されていても構わない。また、鑑定処理部２３７０はＭＦＰ２２０の内部に配置する構成であっても良い。
【００１８】
＜ＭＦＰのコントローラユニットの構成＞
図２は、図１に示したＭＦＰ２２０のコントローラユニットの詳細な構成を示すブロック図である。
【００１９】
コントローラユニット２０００は、画像入力デバイスであるスキャナ２０７０と画像出力デバイスであるプリンタ２０９５に接続される一方、ＬＡＮ２０１１や公衆回線（ＷＡＮ）２０５１にも接続されて、画像情報やデバイス情報などの入出力を行う。
【００２０】
このコントローラユニット２０００において、ＣＰＵ２００１はシステム全体を制御し、内部時計２０５２の制御も行う。ＲＡＭ２００２は、ＣＰＵ２００１が動作するために使用するシステムワークメモリであり、また画像データを一時記憶するための画像メモリでもある。ＲＯＭ２００３はブートＲＯＭであり、システムのブートプログラムが格納されている。ＨＤＤ２００４はハードディスクドライブであり、システムソフトウェアや画像データのほか、後述する原本保証動作を行うため必要な画像処理アルゴリズムの制御情報などが格納されている。
【００２１】
操作部Ｉ／Ｆ２００６は、操作部（ＵＩ）２２１２とのインターフェイスを司り、操作部２２１２に表示する画像データを操作部２２１２に対して出力する。また、使用者が操作部２２１２を介して入力した情報をＣＰＵ２００１に伝える役割を果たす。
【００２２】
ネットワーク（Ｎｅｔｗｏｒｋ）インターフェイス２０１０は、ＬＡＮ２０１１との接続を司り、ＬＡＮ２０１１に対して情報の入出力を行う。モデム（ＭＯＤＥＭ）２０５０は、公衆回線（ＷＡＮ）２０５１との接続を司り、公衆回線に対して情報の入出力を行う。時計２０５２は、時刻表示やウィークリータイマ機能の標準時刻を管理する。以上の各デバイスがシステムバス２００７上に配置されている。
【００２３】
イメージバスインターフェイス（Ｉｍａｇｅ  Ｂｕｓ  Ｉ／Ｆ）２００５は、システムバス２００７と、画像データを高速で転送する画像バス２００８とを接続し、データ構造を変換するバスブリッジである。画像バス２００８は、ＰＣＩバス又はＩＥＥＥ１３９４で構成される。
【００２４】
画像バス２００８には、ラスターイメージプロセッサ（ＲＩＰ）２０６０、デバイスＩ／Ｆ部２０２０、スキャナ画像処理部２０８０、プリンタ画像処理部２０９０、画像回転部２０３０、及び画像圧縮部２０４０が接続されている。
【００２５】
ラスターイメージプロセッサ（ＲＩＰ）２０６０は、ネットワークから送信されたＰＤＬコードをビットマップイメージに展開する。デバイスＩ／Ｆ部２０２０は、スキャナ２０７０やプリンタ２０９５とコントローラユニット２０００とを接続し、画像データの同期系／非同期系の変換を行う。スキャナ画像処理部２０８０は、入力画像データに対して、特徴量の算出のほか、認識、補正、加工、編集を行う。プリンタ画像処理部２０９０は、プリント出力画像データに対して、補正、解像度変換、電子情報の付加などの加工処理を行う。画像回転部２０３０は画像データの回転を行い、画像圧縮部２０４０は、多値画像データに対してＪＰＥＧ圧縮伸張処理を、また２値画像データに対してはＪＢＩＧ、ＭＭＲ、ＭＨの圧縮処理を行う。
【００２６】
＜ＭＦＰの操作部の外観構成＞
図３は、図１に示した操作部２２１２の外観構成を示す図である。
【００２７】
同図に示すように、ＬＣＤ表示部２０１３上にはタッチパネルシート２０１９が貼られている。タッチパネルシート２０１９には、システムの操作画面及びソフトキーが表示されると共に、表示されたキーが押下されると、その押下された位置を示す位置情報が、操作部２２１２を制御するＣＰＵ（図示省略）に伝えられる。
【００２８】
スタートキー２０１４は、紙媒体画像の読み取り動作を開始する場合等に用いられる。このスタートキー２０１４の中央部には、緑と赤の２色ＬＥＤ表示部２０１８があり、その色によってスタートキー２０１４が使える状態にあるのか否かを示している。また、ストップキー２０１５は、稼動中の動作を止める働きをする。そして、ＩＤキー２０１６は使用者のユーザＩＤを入力するときに用いられ、さらに、リセットキー２０１７は、当該操作部２２１２によって行われた設定を初期化するときに用いられる。
【００２９】
〔第１の実施の形態の動作〕
上記構成の画像処理システムの原本保証動作について説明する。
【００３０】
この原本保証動作では、予め定型フォームを登録し、さらにこの定型フォームに従って作成された紙媒体原本を登録しておき、その後に、鑑定対象である紙媒体の原本性保証を確認するため、その改ざん鑑定処理を実行する。以下、例えば保険証書の改ざん鑑定を行う場合を例にとって具体的に説明する。
【００３１】
＜定型フォーム紙の一例＞
図４は、本実施の形態に係る定型フォーム紙の一例を示す図である。
【００３２】
この定型フォーム紙６０１は、各定型フォーム毎に対応した固有の情報が予め記録された固定領域６０３を配置し、この固定領域６０３外の空白部には、後述の定型フォーム登録処理で指定される可変領域６０２が配置される。可変領域６０２は、原本作成の際に可変情報が記載される領域である。
【００３３】
例えば、様式Ａの保険証書は、予め保険規定が印刷されていて、後で手書きで日付や人名等を記入して完成する形態と想定する。この場合、可変領域６０２は、日付や氏名、生年月日等の情報が手書きで記入される予定の領域であり、固定領域６０３は、保険規定などの印刷済み情報が記録されている領域である。言い換えると、可変領域６０２は、改ざんされると大きな問題となる領域であり、固定領域６０３は、改ざんされても意味をなさない領域である。
【００３４】
＜第１の実施の形態に係る定型フォームの登録処理＞
次に、上記定型フォーム紙をスキャンして、その定型フォームを登録する処理について、図５〜図８を参照して説明する。この登録処理は主にスキャナ画像処理部２０８０で実施される。
【００３５】
なお、図５は、第１の実施の形態に係るフォーム登録処理を示すフロー図である。図６は、各処理の実行を選択するために操作部２２１２のＬＣＤ表示部２０１３上に表示されるメニュー画面を示す図であり、図７は、フォーム登録処理の領域指定時に用いる表示画面を示す図である。図８は、フォーム登録処理で格納されるフォーム情報の一例を示す図である。
【００３６】
まずユーザは、例えば様式Ａの保険証書の定型フォーム紙（一枚）をスキャナ２２７０の読み取り部にセットし、さらに図６に示すように操作部２２１２のＬＣＤ表示部２０１３上にメニュー画面を表示し、メニューから「定型フォーム登録」を選択する（ステップＳ２０１）。すると、スキャン動作が開始されて、前記読み取り部にセットされた定型フォーム紙の画像情報がＭＦＰ２２０内に読み込まれる（ステップＳ２０２）。
【００３７】
上記定型フォーム紙の画像情報を取得した後（ステップＳ２０３）、ユーザは、取得した画像情報に対して操作部２２１２のＬＣＤ表示部２０１３上から可変領域６０２の指定を行う。すなわち、図７に示すように、操作部２２１２のＬＣＤ表示部２０１３上に表示された定型フォーム紙の画像情報から、カーソル２０１７と領域指定ボタン２０１２を使用して、可変領域６０２を指定する（ステップＳ２０４）。なお、可変領域６０２を指定する方法は、このようなユーザが操作部２２１２上で行う方法のほかに、例えば、定型フォームの空白部に予め符号化情報を埋め込む方法などがある。
【００３８】
続いて、前記指定した可変領域６０２の処理方法として圧縮方法を指定する（ステップＳ２０５）。指定すべき可変領域６０２が複数ある場合には全ての領域の指定が終了するまでステップＳ２０４、ステップＳ２０５及びステップＳ２０６を繰り返し実行する。
【００３９】
そして、当該定型フォーム紙のフォーム情報を作成すべく、固有の番号（例えばフォームＮｏ．０００１）が生成され（ステップＳ２０７）、さらに、本処理開始後に自動的に取得した情報（例えば、用紙サイズ、領域位置、領域処理、ページ数、及び登録日時など）と共に、例えば登録者が操作部２２１２から入力した、フォーム名、登録部署名及び登録者名等の情報が加えられる。このような定型フォーム紙のフォーム情報は、図８に示すようなテーブル形式でＨＤＤ２００４等の所定の記憶領域に格納される（ステップＳ２０８）。
【００４０】
その後、フォーム登録終了をユーザに通知し（ステップＳ２０９）、本フォーム登録処理を終了する。
【００４１】
以上のような定型フォーム登録処理を繰り返すことによって、例えば様式Ａ，様式Ｂ，様式Ｃ，…の複数種類の保険証書の定型フォームの情報を、それぞれ固有のフォーム番号に従ってＭＦＰ２２０に登録することができる。
【００４２】
＜第１の実施の形態に係る原本登録処理＞
次に、本実施の形態に係る原本登録処理について、図９、図１０及び図１１を参照して説明する。なお、図９は、第１の実施の形態に係る原本登録処理を示すフロー図であり、図１０は、原本登録処理時のデータの流れを示す概念図である。図１１は、付与情報選択時の操作部２２１２の画面を示す図である。
【００４３】
まず、操作者は、スキャナ２２７０の読み取り部に紙媒体原本６０１ａ（図１０）をセットする。ここで、紙媒体原本６０１ａとは、例えば前述した保険証書（様式Ａ）の定型フォーム紙（図４の６０１）上に指定された可変領域６０２に、可変情報として、例えば日付、氏名、生年月日等が記入されて、ある被保険者の保険証書の原本として完成したものである。
【００４４】
次に、操作部２２１２において、図６に示すメニュー画面から“登録”を選択し（ステップＳ２１１）、さらに続いて、原本を保証するために付与する情報（付与情報）の選択を行う（ステップＳ２１２）。付与情報としては、図１１に示すように登録日時や内容が用意されており、操作者は必要な登録情報を選択することが可能となる。登録日時は、時計部２０５２の日時情報から得る（図１０のＴ１）。
【００４５】
付与情報が確定すると、コントローラユニット２２００は、スキャナ２２７０によって紙媒体原本６０１ａをスキャンし紙媒体原本の画像情報を読み取る（ステップＳ２１３、Ｔ２）。そして、この読み取られた紙媒体原本の画像情報を用いて、前述の定型フォーム登録処理でフォーム番号毎に登録された複数のフォーム情報（様式Ａのフォーム情報，様式Ｂのフォーム情報，…）の中に、当該紙媒体原本のフォーム情報と一致するものがあるかを照合する（ステップＳ２１４）。
【００４６】
前記ステップＳ２１４の照合でフォームが一致した場合には、当該紙媒体原本は登録済みの正式な定型フォームを使用して完成したものであることが確認されたことになる。一方、前記ステップＳ２１４の照合処理でフォームが一致しなかった場合には、当該紙媒体原本の登録はできない旨の登録不可通知を操作部２２１２のＬＣＤ表示部２０１３上に表示する（ステップＳ２１８）。
【００４７】
当該紙媒体原本のフォームが既に登録されている正式なフォームと一致した場合には、図５に基づいて該フォームに対応付けられている可変領域の位置を特定し、当該紙媒体原本中の可変領域６０２の特徴量を算出する（ステップＳ２１５、Ｔ３）。この算出方法は後述する。なお、予め定型フォームに可変領域指定用の符号が埋め込まれている場合には、この符号を認識して、この符号によって検出された領域を可変領域６０２として検出し、その特徴量を算出する。
【００４８】
続いて、鑑定処理部２３７０からファイルＩＤを発行し（ステップＳ２１６、Ｔ４）、前記算出した可変領域６０２の特徴量と前記確定した付加情報にファイルＩＤを付加して鑑定処理部２３７０のＩＤ管理部２３８０に格納した後（ステップＳ２１７、Ｔ５）、コントローラユニット２２００に登録処理完了の通知を行って（ステップＳ２１９）、原本登録処理を終了する。
【００４９】
次に、図９中の特徴量算出処理（ステップＳ２１５）の詳細について、図１２、図１３、図１４、及び図１５（ａ），（ｂ）を参照して説明する。
【００５０】
なお、図１２は、図９の特徴量算出処理を実行するスキャナ画像処理部２０８０中の要部機能構成を示すブロック図である。図１３は、紙媒体原本６０１ａから算出された輝度信号の頻度を示すグラフである。図１４は、ヒストグラムを作成するときの位置関係を示す図である。図１５（ａ），（ｂ）は、ヒストグラムを表すグラフであり、同図（ａ）は主走査方向のヒストグラムを、同図（ｂ）は副走査方向のヒストグラムをそれぞれ表している。
【００５１】
初めにスキャナ２２７０で読み込まれた画像は、赤（Ｒ）、緑（Ｇ）、青（Ｂ）の３原色のディジタル信号に分解され、スキャナ画像処理部２０８０において特徴量が算出される。以下、特徴量の算出について詳細に説明する。
【００５２】
Ｒ、Ｇ、Ｂ信号は、モノクロ信号生成部１１０１において、次式によってモノクロ信号Ｋｄに変換される。
【００５３】
Ｋｄ＝（Ｒ＋２×Ｇ＋Ｂ）／４    …（１）
上記式（１）では、Ｇ信号にＲ、Ｂの２倍のゲインを掛けて平均化することにより輝度信号を得ている。なお、輝度信号の生成は本式に限らず、例えばＮＴＳＣで規定されている係数を基に算出しても構わない。
【００５４】
得られた輝度信号Ｋｄは、続く下地検出部１１０２に入力され、この下地検出部１１０２において定型フォーム紙の画像中の下地レベルが検出される。なお、図１３においては、横軸に輝度信号レベル（０〜２５５）、縦軸は頻度を表す。図１３中のＬ−ｍａｘは、測定可能な最大輝度レベル（本例の場合は２５５）を表し、Ｕ−ｐｅａｋは、最大頻度を表す。本実施の形態で想定する定型フォーム紙としては、テキスト中心の画像原稿を想定しているため、下地部分の多くは明るい色に集中することが多く、図１３に示すような明度の高い領域にＵ−ｐｅａｋが存在する。
【００５５】
Ｕ−ｐｅａｋが検出されると、図１３に示すＤｆレベルだけＵ−ｐｅａｋから減算された輝度値を下地レベルＴｈとして下地検出部１１０２の処理を終了する。本実施形態では、Ｄｆは固定値とするが、ヒストグラムの形状に応じて変更しても構わない。
【００５６】
下地検出部１１０２より検出された下地レベルＴｈは、続く二値画像生成部１１０３へ送出されて、閾値Ｔｈと次式の比較演算を行うことにより、モノクロ信号Ｋｄから二値画像（“０”と“１”）へと変換される。
【００５７】
ｉｆ（Ｋｄ≦Ｔｈ） ｔｈｅｎ Ｋｄ＝１
ｅｌｓｅ    Ｋｄ＝０
これにより、閾値信号Ｔｈより暗い部分は“１”へ、明るい部分は“０”へと変換される。二値画像生成部１１０３で生成された二値画像Ｂｉは、続くヒストグラム形状生成部１１０４へと送出される。
【００５８】
ヒストグラム形状生成部１１０４では、暗い画素“１”を画素位置毎にカウントする。図１４において、図中のＯＭ、ＯＳはそれぞれ、主走査方向、副走査方向の基準位置であり、この基準位置を基に各方向にヒストグラムを生成する。図１５（ａ）は、主走査方向のヒストグラムを、図１５（ｂ）は副走査方向のヒストグラムをそれぞれ表す。得られた主・副方向のヒストグラム値は、画像の特徴量として一次元のＬＵＴ（ルックアップテーブル）の形式でＲＡＭ２００２に一時保存される。
【００５９】
以上がスキャナ画像処理部２０８０で実施される特徴量の算出アルゴリズムである。
【００６０】
＜第１の実施の形態の改ざん鑑定処理＞
次に、本実施の形態に係る改ざん鑑定処理について、図１６及び図１７を参照して説明する。この改ざん鑑定処理では、例えば、既に交付された保険証書などの鑑定対象紙媒体に改ざんが有るか否かを鑑定するものである。
【００６１】
なお、図１６は、第１の実施の形態に係る改ざん鑑定処理を示すフロー図であり、図１７は、改ざん鑑定処理時のデータの流れを示す概念図である。
【００６２】
まず、スキャナ２２７０の読み取り部に鑑定対象紙媒体６０１ｂ（図１７）をセットし、操作部２２１２において、図６に示すメニュー画面から“鑑定”を選択する（ステップＳ２３１）。すると、コントローラユニット２２００は、ステップＳ２３４まで前述した原本登録処理時と同じシーケンスの処理を行う。すなわち、鑑定対象紙媒体６０１ｂをスキャンしてその画像情報を読み込み（ステップＳ２３２、Ｔ１１）、前述の定型フォーム登録処理で予め登録された複数の様式のフォーム情報の中に、当該鑑定対象のフォーム情報と一致するものがあるかを照合する（ステップＳ２３３）。そして、フォームの照合を確認することができた場合は、図５に基づいて該フォームに対応付けられている可変領域の位置を特定し、当該鑑定対象の可変領域６０２を検出して、その可変領域における特徴量を算出し（ステップＳ２３４）、鑑定処理部２３７０の鑑定部２３９０へ送る。
【００６３】
次に、鑑定部２３９０において、当該鑑定対象の可変領域６０２の特徴量と、前述した原本登録処理で登録した原本の可変領域６０２の特徴量とを比較する（ステップＳ２３５）。その結果、一致した場合、つまり同一の特徴量と判定された場合には（ステップＳ２３６）、鑑定部２３９０は、コントローラユニット２２００に対して鑑定一致（改ざん無し）の鑑定結果を通知し（ステップＳ２３７）、不一致と判定された場合は（ステップＳ２３６）、鑑定不一致（改ざん有り）の鑑定結果を通知して（ステップＳ２３８）、本処理を終了する。
【００６４】
また、前記ステップＳ２３３において、フォームの整合を確認することができなかった場合は、コントローラユニット２２００へ鑑定不可の通知を出して（ステップＳ２３９）、本処理を終了する。
【００６５】
＜本実施の形態に係る特徴量の比較処理＞
前述した改ざん鑑定処理時における特徴量の比較処理は、内積処理と閾値処理の２つの処理によって実現される。
【００６６】
初めに内積について説明する。内積処理は、ＩＤ管理部２３８０内に、ファイルＩＤに関連付けられて既に格納されている原本の特徴量データ、つまり主走査・副走査の各一次元ベクトルデータ（ＬＵＴで管理）と、今回の鑑定処理時のスキャンデータに基づいて算出された特徴量データとを用いて、次式（２）により計算される。
【００６７】
Ａ＝Σ（ＴＭｉ×ＫＭｉ）／（ΣＴＭｉ）２
Ｂ＝Σ（ＴＳｉ×ＫＳｉ）／（ΣＴＳｉ）２  …（２）
この式（２）において、Ａ、Ｂはそれぞれ、主走査、副走査方向の規格化された相関値を表し、ＴＭ、ＴＳはそれぞれ、登録された主走査、副走査方向のベクトル形状であり、ＫＭ、ＫＳはそれぞれ、今回の鑑定処理時に算出された主走査、副走査方向のベクトル形状を表す。なお、添え字“ｉ”は位置情報を表す。この計算結果は、登録時のデータで規格化されているため、Ａ、Ｂの値域は、０〜１となる。
【００６８】
上記の演算によって得られた相関値Ａ，Ｂは、続く閾値処理において比較され、最終的に鑑定対象画像と登録画像が同一であるか否かが判定される。本実施形態では、次式（３）の閾値処理で判定される。
【００６９】
ｉｆ（（Ａ≧ｖａｌＡ）＆（Ｂ≧ｖａｌＢ））  ｔｈｅｎ“登録画像と同一”
ｅｌｓｅ    “登録画像とは異なる”
…（３）
この式（３）において、閾値ｖａｌＡ，ｖａｌＢは、スキャナ２０７０等の精度に依存するパラメータであるが、本実施形態では、ｖａｌＡ＝０．９７、ｖａｌＢ＝０．９６として処理を実装した。
【００７０】
以上のように本実施の形態によれば、紙媒体の画像情報の改ざんを鑑定するに際し、紙媒体の面全体の画像情報を必要とせず、特定領域（可変領域６０２）の画像情報のみを用いて処理するので、紙媒体全体の画像情報を用いた処理よりも演算負荷を軽減することができる。
【００７１】
［第２の実施の形態］
第２の実施の形態では、定型フォーム紙６０１、紙媒体原本６０１ａ、及び鑑定対象紙媒体６０１ｂが複数ページに亘る場合について説明する。
【００７２】
＜第２の実施の形態に係る定型フォームの登録処理＞
図１８は、第２の実施の形態に係るフォーム登録処理を示すフロー図であり、図５と同じ処理には同一の符号を付し、その説明を省略する。
【００７３】
まず、複数ページの定型フォーム紙をスキャナ２２７０の読み取り部にセットし、操作部２２１２のＬＣＤ表示部２０１３上にメニュー画面を表示し、メニューから「定型フォーム登録」を選択する（ステップＳ２０１）。そして、定型フォーム紙の各ページ毎に、スキャンして画像情報を取得し（ステップＳ２０３）、さらに領域指定（ステップＳ２０４）と、特徴量の抽出を行う（ステップＳ２０５）。
【００７４】
同一ページ内での領域指定が最後ならば（ステップＳ２０６）、次のページの有無を判断する（ステップＳ３０１）。ステップＳ２０６で領域指定が最後でないならば、領域の指定を継続する。また、ステップＳ３０１において次のページが有ると判定された場合はステップＳ２０２に戻り、スキャンから同じ手順を繰り返す。
【００７５】
ステップＳ３０１において次のページ無しと判定された場合は、第１の実施の形態と同様に、フォーム番号を生成し（ステップＳ２０７）、開始後から扱った情報をフォーム情報として記録し（ステップＳ２０８）、フォーム登録通知を行い（ステップＳ２０９）、本処理を終了する。
【００７６】
＜第２の実施の形態に係る原本登録処理＞
図１９は、第２の実施の形態に係る原本登録処理を示すフロー図であり、図９と同じ処理には同一の符号を付し、その説明を省略する。
【００７７】
まず、操作者は、スキャナ２２７０の読み取り部に複数ページの紙媒体原本６０１ａをセットし、図９で説明した第１の実施の形態の原本登録処理と同様に、操作部２２１２において、“登録”を選択し（ステップＳ２１１）、続いて、付与情報の選択を行う（ステップＳ２１２）。そして、コントローラユニット２２００は、スキャナ２２７０によって紙媒体原本６０１ａの全ページをスキャンして画像情報を読み取る（ステップＳ３１１）。
【００７８】
その後は、ステップＳ２１４からステップＳ２１９まで、第１の実施の形態の原本登録処理と同様の処理を行う。
【００７９】
＜第２の実施の形態の改ざん鑑定処理＞
図２０は、第２の実施の形態に係る改ざん鑑定処理を示すフロー図であり、図１６と同じ処理には同一の符号を付し、その説明を省略する。
【００８０】
まず、スキャナ２２７０の読み取り部に複数ページの鑑定対象紙媒体６０１ｂをセットし、図１６で説明した第１の実施の形態の改ざん鑑定処理と同様に、操作部２２１２において、図６に示すメニュー画面から“鑑定”を選択し（ステップＳ２３１）、鑑定対象紙媒体６０１ｂの全ページをスキャンしてその画像情報を読み取る（ステップＳ３３１）。
【００８１】
その後は、ステップＳ２３３からステップＳ２３９まで、第１の実施の形態の改ざん鑑定処理と同様の処理を行う。
【００８２】
以上のように、定型フォーム紙６０１、紙媒体原本６０１ａ及び鑑定対象紙媒体６０１ｂが複数ページに亘る場合においても、上記第１の実施の形態と同様の効果を得ることができる。
【００８３】
［その他の実施の形態］
上述した実施形態で説明した特徴量算出処理（ステップＳ２１５）は、上述した算出方法に限るものではなく、その他の特徴量算出方法を用いて、可変領域の特徴量を算出するようにしてもよい。例えば、可変領域内の色情報も用いて特徴量を算出したり、周波数変換して特徴量を算出したりしてもよい。
【００８４】
また、鑑定対象紙媒体の定型フォームと同じ定型フォームを有する原本が複数登録されている場合、ステップＳ２３５で、同じ定型フォームを有する複数の原本の可変領域特徴量それぞれと比較し、同じ特徴量を有する原本があった場合には、ステップＳ２３７で改ざん無しを通知すると共にその原本に関する情報（原本ＩＤや原本の画像など）を表示するのが望ましい。
【００８５】
本発明は、上述した実施形態の装置に限定されず、複数の機器から構成されるシステムに適用しても、１つの機器から成る装置に適用しても良い。前述した実施形態の機能を実現するソフトウェアのプログラムコードを記憶した記憶媒体をシステムあるいは装置に供給し、そのシステムあるいは装置のコンピュータ（又はＣＰＵやＭＰＵ）が記憶媒体に格納されたプログラムコードを読み出し実行することによっても、完成されることは言うまでもない。
【００８６】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、不揮発性メモリを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【００８７】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
【図面の簡単な説明】
【００８８】
【図１】本発明の第１の実施の形態に係る画像処理システムの構成を示すブロック図である。
【図２】図１に示したＭＦＰのコントローラユニットの詳細な構成を示すブロック図である。
【図３】図１に示した操作部の外観構成を示す図である。
【図４】実施の形態に係る定型フォーム紙の一例を示す図である。
【図５】第１の実施の形態に係るフォーム登録処理を示すフロー図である。
【図６】操作部のＬＣＤ表示部上に表示されるメニュー画面を示す図である。
【図７】フォーム登録処理の領域指定時に用いる表示画面を示す図である。
【図８】フォーム登録処理で格納されるフォーム情報の一例を示す図である。
【図９】第１の実施の形態に係る原本登録処理を示すフロー図である。
【図１０】原本登録処理時のデータの流れを示す概念図である。
【図１１】付与情報選択時の操作部の画面を示す図である。
【図１２】図９の特徴量算出処理を実行するスキャナ画像処理部中の要部機能構成を示すブロック図である。
【図１３】紙媒体原本から算出された輝度信号の頻度を示すグラフである。
【図１４】ヒストグラムを作成するときの位置関係を示す図である。
【図１５】ヒストグラムを表すグラフである。
【図１６】第１の実施の形態に係る改ざん鑑定処理を示すフロー図である。
【図１７】改ざん鑑定処理時のデータの流れを示す概念図である。
【図１８】第２の実施の形態に係るフォーム登録処理を示すフロー図である。
【図１９】第２の実施の形態に係る原本登録処理を示すフロー図である。
【図２０】第２の実施の形態に係る改ざん鑑定処理を示すフロー図である。
【符号の説明】
【００８９】
２２０  ＭＦＰ
２２７０  スキャナ部
２２９５  プリンタ
２２００  コントローラユニット
２２１２  操作部
２３７０  鑑定処理部
２３８０  ＩＤ管理部
２３９０  鑑定部
【図１】
2006048523.tif 000003
【図２】
2006048523.tif 000004
【図３】
2006048523.tif 000005
【図４】
2006048523.tif 000006
【図５】
2006048523.tif 000007
【図６】
2006048523.tif 000008
【図７】
2006048523.tif 000009
【図８】
2006048523.tif 000010
【図９】
2006048523.tif 000011
【図１０】
2006048523.tif 000012
【図１１】
2006048523.tif 000013
【図１２】
2006048523.tif 000014
【図１３】
2006048523.tif 000015
【図１４】
2006048523.tif 000016
【図１５】
2006048523.tif 000017
【図１６】
2006048523.tif 000018
【図１７】
2006048523.tif 000019
【図１８】
2006048523.tif 000020
【図１９】
2006048523.tif 000021
【図２０】
2006048523.tif 000022